(57)【要約】      （修正有）【課題】髪にカール付けを行なう際に、髪を絡ませたヘアーブラシを手動で容易に回転させる。【解決手段】ヘアーブラシのハンドル先端に、手指の第５指F5を挿入可能な環状の指挿入部41を有する支持部４を回転可能に突設している。第１指F1と第２指F2をハンドル３を摘んだまま同じ方向にひねってハンドル３とブラシ台１を回転させ、髪をブラシ毛２に巻き付ける。第５指F5は、ハンドル３に取り付けた支持部４の環状の指挿入部41に嵌まって支持部４を掴んでいるから、第５指F5にてハンドル３を支持した状態で第１指F1と第２指F2の動作を安定して行なうことができる。【選択図】図４
0003103615.tif 000002
【実用新案登録請求の範囲】
【請求項１】
ブラシ毛(２)を突設したブラシ台(１)の基端にハンドル(３)を具えたヘアーブラシに於いて、手指の挿入可能な環状の指挿入部(41)を有する支持部(４)を、ハンドル(３)の外側先端に回転可能に設けているヘアーブラシ。
【請求項２】
ブラシ毛(２)を突設したブラシ台(１)の基端にハンドル(３)を具えたヘアーブラシに於いて、ハンドル(３)を握った際に手指の第５指F5及び／又は第４指F4を挿入可能な環状の指挿入部(41)を有する支持部(４)が、ハンドル(３)の外側先端に該ハンドルの軸心を中心に回転可能に突設されているヘアーブラシ。
【請求項３】
指挿入部(41)はハンドル(３)の軸心を含む面内にあり、且つ指挿入部(41)はハンドルの軸心から外れてハンドルの外側近傍に位置している請求項１又は２に記載のヘアーブラシ。
【請求項４】
ハンドル(３)は、支持部(４)側へ徐々に縮径する略丸軸状である請求項１乃至３の何れかに記載のヘアーブラシ。
【請求項５】
ハンドル(３)のブラシ台(１)側先端部に、手指との滑りを防止する滑止め部(35)が形成されている請求項１乃至４の何れかに記載のヘアーブラシ。
【請求項６】
ブラシ台(１)から突出した真直軸部(11)にハンドル(３)が緊密嵌合し、ハンドル(３)の外側先端に突設した支持軸(33)に、支持部(４)に突設したボス(42)が回転可能に貫通し貫通端にスナップリング(36)を施している請求項１乃至５の何れかに記載のヘアーブラシ。
【考案の詳細な説明】
【技術分野】
【０００１】
本考案は、髪へのカール付け、ウェーブ付けを容易に行なうことができるヘアーブラシに関するものである。
【背景技術】
【０００２】
髪は熱を加えて温めると柔らかくなり、冷ますと固まって癖付けできる。そのためヘアーブラシを用いて髪を真直ぐに伸ばしたり、曲げて、その状態でヘアードライヤーによって髪を温めて冷えるのを待つと、髪の癖を矯正したり、彎曲させることができる。
以下の説明で、「カール付け」とは髪を１８０°以上反転した状態に丸く彎曲させること、「ウェーブ付け」とは髪を１８０°以下に略円弧状に彎曲させることとする。
ヘアーブラシが髪に与えるテンションが強いほど髪の癖直し、カール付け、ウェーブ付けが容易である。
【０００３】
ブラシ台とハンドルが一体に形成されたヘアーブラシを用いて、髪を彎曲させる場合、髪にブラシ毛を絡ませてから手首をひねることによってヘアーブラシを回転させて髪をヘアーブラシに巻き付け、この状態で髪にドライヤーの熱風を当てなければならない。
上記の様に、手首をひねってヘアーブラシを回転させる場合、ヘアーブラシの回転角度はせいぜい１８０°が限度である。即ち、髪のヘアーブラシへの巻き付きはブラシの半周以下に留まる。この状態でヘアーブラシを髪の伸び方向に引っ張ると、髪がブラシ毛を滑って髪に大きなテンションを与えることができない場合がある。
又、上記の様に髪をヘアーブラシに巻き付けた状態で、髪に巻き癖をつけても、髪の自重による戻りを考慮すれば、髪の彎曲度はヘアーブラシの回転の半分程度となり、とてもカール付けは出来ず、ウェーブ付け程度となる。
又、手首をひねったままでの無理な姿勢ではドライヤーを操作し難い。
【０００４】
この改善策として、ブラシ台に対してハンドルを回転可能に取り付け、ハンドルに内蔵したモータでブラシ台を回転させるヘアーブラシが提案されている(特許文献１)。このブラシ台回転型ヘアーブラシは、ブラシ台に髪を１８０°以上髪を巻き付けることができ、ブラシ毛と髪の摩擦を大きくして、髪に大きなテンションを容易に付与でき、髪のカール付けが容易となる。
しかし、モータ駆動のためコスト高となり、又、重量増となるため使い勝手が悪い。
更に、モータのスイッチ操作を誤ると必要以上に髪がヘアーブラシに巻き付いて、髪を傷める問題がある。
【０００５】
【特許文献１】特表２００３−５２４４６９号公報
【考案の開示】
【考案が解決しようとする課題】
【０００６】
本考案は、手動でブラシ台をカール付けに必要な角度だけ回転できるヘアーブラシを提供する。
【課題を解決するための手段】
【０００７】
本考案のヘアーブラシは、ブラシ毛(２)を突設したブラシ台(１)の基端にハンドル(３)を具えたヘアーブラシにおいて、環状の指挿入部(41)を有する支持部(４)を、ハンドル(３)の外側先端に回転可能に設けている。
【考案の効果】
【０００８】
指挿入部(41)に第５指F5(小指)を挿入して該指で支持部(４)を掴む。第１指F1(親指)と第２指F2(人差し指)でハンドル(３ )の先端側を摘む。第３指F3(中指)と第４指F4(薬指)は、ハンドル(３)に軽く添える程度とする。
ブラシ毛(２)に髪を絡ませ、ハンドル(３)を摘んだまま第１指F1と第２指F2を同じ方向にひねってハンドル(３)及びブラシ台(１)を回転させ、髪をブラシ毛(２)に巻き付ける。この回転はせいぜい９０°程度であるから、髪にウェーブ付けするには足りるが、カール付けするには不足する。又、ブラシ毛(２)に対する髪の巻き付け量が少な過ぎて、ヘアーブラシを引っ張ったときに髪がブラシ毛(２)を滑ることがある。そこで、第３指F3と、第４指F4の腹でハンドル(３)を掴んでハンドルとブラシ台(１)の戻り回転を防止した状態で、第１指F1と第２指F2をハンドル(３)から離して、ひねる前の状態に戻してハンドル(３)を摘む。再び、第３指F3と第４指F4によるハンドルの握りを解放して、第１指F1と第２指F2を前記と同方向にひねってハンドル(３)とブラシ台(１)を回転させる。
【０００９】
第５指F5は、ハンドル(３)に取り付けた支持部(４)の環状の指挿入部(41)に嵌まって支持部(４)を掴んでいるから、ハンドル(３)は常時第５指F5に支持され、然も、支持部(４)はハンドル(３)に回転自由に取り付けられているため、ハンドル(３)が回転しても第５指F5に無理が掛かることはない。これによって、上記第１指F1乃至第４指F4の動作は、第５指F5にてハンドル(３)を支持した状態で安定して行なうことができる。
ヘアーブラシを髪の伸び方向に引っ張っても髪がブラシ毛(２)を滑らない程度に、更に、髪の所望のカール反転角度以上にヘアーブラシに髪が巻き付くまで上記動作を繰り返す。      
【００１０】
上記の如く、第１指F1と第２指F2のひねりと、戻しの動作によって、ハンドル(３)とブラシ台(１)を自由に回転させることができる。このため、従来の様に、ヘアーブラシの回転角度が小さ過ぎて、ブラシ毛に対して髪が滑って、髪に強いテンションを付与できない問題や、髪がブラシに巻き付く角度が小さ過ぎて、カール付けとはならずウェーブ付けとなる問題を解決できる。
又、ハンドルを握った手首をひねったままドライヤー操作を強いられる場合に比べて、自然な状態でヘアーブラシを保持できるため、ドライヤー操作を楽に行なうことができる。
モータを用いないため、ヘアーブラシのコスト低減と軽量化を図ることができる。又、モータのスイッチ操作の不手際によって髪を巻き付け過ぎて髪を傷めることもない。
【考案を実施するための最良の形態】
【００１１】
図１に示す如く、ヘアーブラシは、ブラシ毛(２)を突設したブラシ台(１)と、該ブラシ台(１)の基端に突設してブラシ台(１)と一体のたハンドル(３)と、ハンドル(３)の外端に取り付けた支持部(４)とによって構成される。
【００１２】
ブラシ台(１)は横長扁平の中空体であって、図２に示す如く、軸心と直交する断面において、上下両面は円弧上に膨らんでいる。
ブラシ台(１)の下面にブラシ毛(２)が突設されている。ブラシ毛(２)は、先端に球状の小さな瘤部を有する合成樹脂製の軸体であって、ブラシ台(１)の長手方向、幅方向に規則的な配列で略均一密度に突設されている。
【００１３】
図３に示す如く、ブラシ台(１)の基端に、ブラシ台(１)と同軸上に真直軸部(11)が突設され、該真直軸部(11)に、ハンドル(３)が緊密に嵌まっている。
ハンドル(３)は、真直軸部(11)の外側部分に嵌まったハンドル主体(31)と、真直軸部(11)のブラシ台(１)側に嵌まったゴム筒(34)とによって形成される。
ハンドル主体(31)の外側先端に、ハンドル主体(31)と一体又は別体の短い支持軸(33)をハンドルと同軸上に突設している。
ハンドル主体(31)は、ゴム筒(34)から支持軸(33)側に徐々に縮径しており、最大径は約２５mm、最小径は約１５mmである。
ゴム筒(34)の外径は、ハンドル主体(31)の最大径と略同じであり、周面には軸方向に沿う多数の溝条が密なる間隔で刻設されて滑止め部(35)を形成している。
滑止め部(35)のブラシ台(１)側先端から、ハンドル主体(31)の最小径までの長さは、大人の掌の幅程度である約８５mmである。
【００１４】
支持部(４)は、手指の第５指F5が余裕のある状態に嵌まる環状の指挿入部(41)と該指挿入部(41)に外向きに突設されたボス(42)を具えている。ボス(42)には指挿入部(41)を含む面内に貫通軸孔(43)が開設される。
【００１５】
支持部(４)は、前記ハンドル主体(31)の支持軸(33)をボス(42)の軸孔(43)に回転可能に貫通させ、該回転支持軸(33)に開設した周溝にスナップリング(36)を嵌めてハンドル(３)に取り付けられる。軸孔(43)と指挿入部(41)は同一平面内にあるから、指挿入部(41)はハンドル(３)の軸心を含む面内にあり、且つ該軸心から外れてハンドル(３)の外端近傍に位置する。
又、指挿入部(41)に手指の第５指F5を挿入した状態で、第１指F1と第２指F2は滑止め部(35)を無理なく摘むことができる。
【００１６】
然して、上記ヘアーブラシを用いて髪にカール付けする手順を説明する。
指挿入部(41)に第５指F5を挿入して曲げ、該該指で支持部(４)を掴む。第１指F1と第２指F2とでハンドル(３)の滑止め部(35)を挟む。第３指F3と第４指F4はその腹をハンドル主体(31)に軽く添える程度とする。
支持部(４)は、指挿入部(41)がハンドル(３)の軸心を含む面内にあり、且つハンドル軸心から外れて、ハンドルの外側近傍に位置する様に、ハンドル(３)に取り付けられているため、ハンドル(３)を握る様にすれば、第５指F5を自然な状態で指挿入部(41)に挿入することができる。
【００１７】
ブラシ毛(２)に髪を絡ませ、ハンドル(３)を挟んだまま第１指F1と第２指F2を同じ方向にひねってハンドル(３)とブラシ台(１)をハンドル(３)の軸心を中心に回転させ、髪をブラシ毛(２)に巻き付ける。この回転角度はせいぜい９０°程度であるから、カール付けするにはブラシ毛(２)に対する髪の巻き付け量が少ない。又、ヘアーブラシを髪の伸び方向に引っ張ったときに髪がブラシ毛(２)を滑ることがある。この様な場合、第３指F3、４指の腹でハンドル(３)を掴んでハンドルとブラシ台(１)の戻り回転を防止した状態で、第１指F1と第２指F2をハンドル(３)から離して、指をひねる前の状態に戻し滑止め部(35)を摘む。再び、第３指F3と第４指F4によるハンドルの掴みを解放して、第１指F1と第２指F2を前記と同方向にひねってハンドル(３)とブラシ台(１)を回転させる。
第３指F3と第４指F4は、ハンドル(３)の滑止め部(35)を摘むため、ハンドル(３)との滑りが防止され、ハンドル(３)を確実に回すことができる。又、滑止め部(35)はハンドル(３)のブラシ台(１)側先端のみに施されており、第３指F3と第４指F4が触れる主軸部(31)には滑止め部(35)は存在せず、第１指F1と第２指F2でハンドル(３)を回す際に、第３指F3と第４指F4が主軸部(31)に接触していても、支障とはならない。
【００１８】
第５指F5は、ハンドル(３)に取り付けた支持部(４)の環状の指挿入部(41)に嵌まって支持部(４)を掴んでいるから、ハンドル(３)は常時第５指F5に支持され、然も、支持部(４)はハンドル(３)に回転自由に取り付けられているため、ハンドル(３)が回転しても第５指F5に無理が掛かることはない。これによって、上記第１指F1乃至第４指F4の動作は、第５指F5にてハンドル(３)を支持した状態で安定して行なうことができる。
又、ハンドル(３)は丸軸状であるから、ハンドル(３)を回転させるときに、掌や手指に引っ掛からない。又、支持部(４)の指挿入部(41)に挿入した第５指F5を曲げた際に、第４指F4も自然に内側に曲がるが、ハンドル(３)の支持部(４)は縮径しており、自然に曲がる第４指F4がハンドルを強く抱いてしまうこを防止して、ハンドル(３)をスムーズに回すことができる。
ヘアーブラシを髪の伸び方向に引っ張っても髪がブラシ毛(２)を滑らない程度に、更に、髪の所望のカール反転角度以上に、ヘアーブラシに髪が巻き付くまで上記動作を繰り返す。
【００１９】
上記の如く、第１指F1と第２指F2のひねりと、戻しの動作によって、ハンドル(３)とブラシ台(１)を自由に回転させることができるため、従来の様に、ヘアーブラシの回転角度が小さ過ぎて、ブラシ毛(２)に対して髪が滑って、髪に強いテンションを付与できない問題、カール付けではなく、ウェーブ付けとなってしまう問題を解決できる。                
【００２０】
尚、手が大きくて、第５指F5を指挿入部(41)に挿入するのが窮屈であるときは、第４指F4を指挿入部(41)に挿入しても可い。この場合、第１指F1と第２指F2をひねり位置から元位置に戻す際は、第３指F3だけでハンドル(３)を掴んでハンドルの戻り回転を防ぐことができる。
【００２１】
又、指挿入部(41)を大きく形成して第５指F5と第４指F4を一緒に挿入してヘアーブラシを使用することもできる。
【００２２】
理容師、美容師による業務用としての使用の場合、ヘアーブラシを第５指F5に掛けたままで、残りの指で、鋏、櫛を操作できるから、従来の様に客の髪カットのために、テーブルに置いたヘアーブラシと鋏、櫛を交互に取り上げる面倒は軽減される。
【００２３】
図５、図６は、ブラシ台(１)を円筒状に形成して、該ブラシ台(１)の周面から、複数本の細軸の束を単位として、多数束のブラシ毛(２)をブラシ台(１)の周面に規則的に突設した他の実施例のヘアーブラシを突設している。
図５のヘアーブラシは、図１のヘアーブラシよりも、髪の巻き付け度が増すため、カール付け専用ブラシとして優れている。
【００２４】
ブラシ台(１)及びブラシ毛(２)は、各種形状のものが用いられるから、ハンドル(３)に緊密嵌合して一体化するべきブラシ台(１)の形状には限定はない。
【図面の簡単な説明】
【００２５】
【図１】ヘアーブラシの斜視図である。
【図２】図１Ａ−Ａ線に沿う縦断面図である。
【図３】ハンドル部分の断面図である。
【図４】カール付け使用状態の説明図である。
【図５】他の実施例のヘアーブラシの正面図である。
【図６】同上の右側面図である。
【符号の説明】
【００２６】
１  ブラシ台
２  ブラシ毛
３  ハンドル
34  滑止め部
４  支持部
41  指挿入部
【図１】
0003103615.tif 000003
【図２】
0003103615.tif 000004
【図３】
0003103615.tif 000005
【図４】
0003103615.tif 000006
【図５】
0003103615.tif 000007
【図６】
0003103615.tif 000008